(57)【要約】【課題】腰の軸を安定させることができる腰巻風衣料を提供する。【解決手段】腰巻き布１と、腰巻き布１の上端部に取り付けられた締め紐２と、着用時に着用者の背骨を左右両側から挟む位置に取り付けられた２枚の当て板３とからなる。腰巻き布１を腰の回りに着用すると、２枚の当て板３が着用者の背骨の腰椎を挟む位置に当り、この状態で締め紐２で２枚の当て板を含めて縛ると、腰椎がしっかりと保持されるので、上体が真直ぐに立ち上り、かつ腰の軸が振れないので安定する。このため、激しい動きの踊りでも動きやすく、家事労働時の腰への負担も軽減する。【選択図】図１
0003197119.tif 000002
【実用新案登録請求の範囲】
【請求項１】
腰巻き布と、
該腰巻き布の上端部に取り付けられた締め紐と、
前記腰巻き布において、着用時に着用者の背骨を左右両側から挟む位置に取り付けられた２枚の当て板とからなる
ことを特徴とする腰巻風衣料。
【請求項２】
前記２枚の当て板は、前記腰巻き布に縫い付けた２カ所の袋部にそれぞれ挿入されている
ことを特徴とする請求項１記載の腰巻風衣料。
【請求項３】
前記２カ所の袋部は、前記腰巻き布の後面中央部において左右に並べられており、かつ２カ所の袋部の下端同士の間隔は狭く上端同士の間隔は広い背面視Ｖ字形に配置されており、
前記２枚の当て板は、弾力性材料で作成された、上下寸法が幅寸法よりも長い長方形の板である
ことを特徴とする請求項１または２記載の腰巻風衣料。
【考案の詳細な説明】
【技術分野】
【０００１】
本考案は、腰巻風衣料に関する。さらに詳しくは、踊りや家事などで着用するのに好適な腰巻風衣料に関する。
【背景技術】
【０００２】
特許文献１の下半身防寒具は、座位で着脱する膝掛けと座位でそれぞれの足に着脱するレッグウォーマーの、２つの部位に分割した衣料品であり、腹部から足先までの下半身を包み込み、包み込んだまま立位がとれ自由に歩け、座面から座面への移乗が出来るというものである。
しかるに、この従来技術では保温や動きやすさは考慮されているが、人の腰をしっかり保持する機能は有していない。
【０００３】
特許文献２の巻きスカートは、巻きスカートの一端側に、下衣のファスナを挟んだ一方側身頃のボタンホールに対する第１係止部と、他方側身頃に対する第２係止部とを、間隔を隔てて設けた衣料品であり、妊娠などによって体型の変化が生じても、通常のパンツ、スラックスやスカート等の下衣を無理なく着用できるようにしたものである。
しかるに、この従来技術は着用のしやすさは考慮されているが、人の腰をしっかり保持する機能は有していない。
【０００４】
ところで、盆踊りなどの踊りでは激しく体を動かすものもある（たとえば、高知のよさこい踊り）が、これらの踊りでは腰の軸を安定させると非常に踊りやすくなる。
しかるに、上記従来技術１，２では人の腰を保持しないので腰を安定させる効果は全く期待できない。
【先行技術文献】
【特許文献】
【０００５】
【特許文献１】特開２００７−３１４９２２号公報
【特許文献２】特開２００８−４５２５１号公報
【考案の概要】
【考案が解決しようとする課題】
【０００６】
本考案は上記事情に鑑み、腰の軸を安定させることができる腰巻風衣料を提供することを目的とする。
【課題を解決するための手段】
【０００７】
第１考案の腰巻風衣料は、腰巻き布と、該腰巻き布の上端部に取り付けられた締め紐と、前記腰巻き布において、着用時に着用者の背骨を左右両側から挟む位置に取り付けられた２枚の当て板とからなることを特徴とする。
第２考案の腰巻風衣料は、第１考案において、前記２枚の当て板は、前記腰巻き布に縫い付けた２カ所の袋部にそれぞれ挿入されていることを特徴とする。
第３考案の腰巻風衣料は、第１または第２考案において、前記２カ所の袋部は、前記腰巻き布の後面中央部において左右に並べられており、かつ２カ所の袋部の下端同士の間隔は狭く上端同士の間隔は広い背面視Ｖ字形に配置されており、前記２枚の当て板は、弾力性材料で作成された、上下寸法が幅寸法よりも長い長方形の板であることを特徴とする。
【考案の効果】
【０００８】
第１考案によれば、腰巻き布を腰の回りに着用すると、２枚の当て板が着用者の背骨の腰椎を挟む位置に当り、この状態で締め紐で２枚の当て板を含めて縛ると、腰椎がしっかりと保持されるので、上体が真直ぐに立ち上り、かつ腰の軸が振れないので安定する。このため、激しい動きの踊りでも動きやすく、家事労働時の腰への負担も軽減する。
第２考案によれば、２枚の当て板が２カ所の袋部に入れられて、取付け位置が固定されているので、締め紐で縛るだけで、背骨の両側に当てることができ、使いやすくなる。
第３考案によれば、上下に長い当て板を締め紐で縛ったとき、２枚の当て板が互いに平行になって腰椎をしっかりと挟み、かつ当て板が体に沿って湾曲するので、その際に生じる弾力によって腰椎を支える力が強く発揮される。これにより腰の軸をより強く安定させることができる。
【図面の簡単な説明】
【０００９】
【図１】本考案の一実施形態に係る腰巻風衣料の展開図である。
【図２】図１の腰巻風衣料を着用した状態の正面図である。
【図３】図１の腰巻風衣料を着用した状態の側面図である。
【図４】図１の腰巻風衣料を着用した状態の背面図である。
【考案を実施するための形態】
【００１０】
つぎに、本考案の実施形態を図面に基づき説明する。
図１に基づき基本構造を説明する。
本実施形態の腰巻風衣料Ａは、巻きスカート風に人の腰に巻きつけて使用される衣料である。この腰巻風衣料Ａは、腰巻き布１と、該腰巻き布１の上端部に取り付けられた締め紐２と２枚の当て板３とからなる。
【００１１】
腰巻き布１は、人の腰に一巻きか一巻き半位ができる幅を有しており、丈は膝上まででもよく膝下まででもよい。
締め紐２は、腰の囲りに少なくとも１回好ましくは２回まわして締めることができる長さであればよい。
【００１２】
前記２枚の当て板３は、前記腰巻き布１に縫い付けた２カ所の袋部４に挿入されている。この袋部４は、腰巻き布１において、着用時に着用者の背骨を左右両側から挟む位置に取り付けられている。
また、前記２カ所の袋部４は、腰巻き布１の後面中央部において左右に並べられており、かつ２カ所の袋部４の下端同士の間隔は狭く上端同士の間隔は広くなっており、背面視で、Ｖ字形に配置されている。
【００１３】
前記２枚の当て板３は、弾力性材料で作成された、上下寸法が幅寸法よりも長い長方形の板である。
弾力性材料としては、締め紐２で縛ったとき、やや湾曲する程度のものがよく、たとえばプラスチック板が好適である。木の板でも望ましい弾力性が発揮できれば用いることができる。
【００１４】
当て板３が上下に長い板であるのは中程を締め紐２で縛ったとき中程から湾曲して弾力を生じやすいからである。
【００１５】
つぎに、本実施形態に係る腰巻風衣料Ａの使用方法を図２〜図４に基づき説明する。
図２および図３に示すように、腰巻き布１を腰の回りに着用すると、２枚の当て板３が着用者の背骨の腰椎を挟む位置に当り、この状態で締め紐２で２枚の当て板３を含めて縛る。
【００１６】
このとき、当て板３の位置が袋部４で固定されているので、締め紐２で縛るだけで、背骨の両側に当てることができ、使いやすくなる。
そして、図４に示すように、上下に長い当て板３を締め紐２で縛ったとき、２枚の当て板３が腰囲りの体形に沿うので、２枚の当て板３の上端部同士が近寄って互いにほぼ平行になって腰椎をしっかりと挟み込む。そして当て板３が体に沿って湾曲し、その際に生じる弾力によって腰椎を支える力が強く発揮される。
【００１７】
上記のように本考案の腰巻風衣料Ａを装着すると、２枚の当て板３が身体の支柱となる脊柱の周りの筋肉（インナーマッスル）が強化されるのと同じ効果を奏するので、腰の軸をより強く安定させることができる。このように腰椎がしっかりと保持されると、上体が真直ぐに立ち上り、かつ腰の軸が振れないので安定するので、激しい動きの踊りでも動きやすく、家事労働時の腰への負担も軽減する。
【００１８】
図１に示す例では、２枚の当て板３，３は背面視でＶ字形になっており、その交差角は約１０°から３０°であるが、交差角が約１０°以下であったり、０であって２枚の当て板３，３が平行なものも本考案に含まれる。
要は、着用者の腰椎をしっかりと支えることができるものであればよい。
【００１９】
本実施形態の腰巻風衣料Ａは、盆踊りなどに好適に用いられるが、家庭内や工場等での軽労働にも腰を安定させるので、体に負担がかかりにくいという利点がある。
【符号の説明】
【００２０】
Ａ    腰巻風衣料
１    腰巻き布
２    締め紐
３    当て板
４    袋部
【図１】
0003197119.tif 000003
【図２】
0003197119.tif 000004
【図３】
0003197119.tif 000005
【図４】
0003197119.tif 000006
【手続補正書】
【提出日】平成27年2月20日(2015.2.20)
【手続補正１】
【補正対象書類名】実用新案登録請求の範囲
【補正対象項目名】請求項３
【補正方法】変更
【補正の内容】
【請求項３】
前記２カ所の袋部は、前記腰巻き布の後面中央部において左右に並べられており、かつ２カ所の袋部の下端同士の間隔は狭く上端同士の間隔は広い背面視Ｖ字形に配置されており、
前記２枚の当て板は、弾力性材料で作成された、上下寸法が幅寸法よりも長い長方形の板である
ことを特徴とする請求項２記載の腰巻風衣料。
【手続補正２】
【補正対象書類名】明細書
【補正対象項目名】０００７
【補正方法】変更
【補正の内容】
【０００７】
第１考案の腰巻風衣料は、腰巻き布と、該腰巻き布の上端部に取り付けられた締め紐と、前記腰巻き布において、着用時に着用者の背骨を左右両側から挟む位置に取り付けられた２枚の当て板とからなることを特徴とする。
第２考案の腰巻風衣料は、第１考案において、前記２枚の当て板は、前記腰巻き布に縫い付けた２カ所の袋部にそれぞれ挿入されていることを特徴とする。
第３考案の腰巻風衣料は、第２考案において、前記２カ所の袋部は、前記腰巻き布の後面中央部において左右に並べられており、かつ２カ所の袋部の下端同士の間隔は狭く上端同士の間隔は広い背面視Ｖ字形に配置されており、前記２枚の当て板は、弾力性材料で作成された、上下寸法が幅寸法よりも長い長方形の板であることを特徴とする。